(57)【要約】      （修正有）【課題】バーホールに対する取り付け性、固定性および取り外し性に優れる脳外科用バーホールキャップを提供することである。【解決手段】柱状の軸部２と、軸部２の後端に接続しており軸部２の直径よりも大きな直径を有する板状の蓋部３と、軸部２の外周面２１のうち先端２ａ側に位置しており先端２ａおよび後端を貫く軸部２の中心軸に対して垂直な方向に延びている凸部４と、軸部２の先端２ａに位置している凹部５と、蓋部３の表面３１から軸部２の先端２ａにわたって位置している切り欠き部６と、を備え、可撓性を有する、脳外科用バーホールキャップ１である。【選択図】図１
2017153847.tif 000002
【特許請求の範囲】
【請求項１】
柱状の軸部と、
前記軸部の後端に接続しており前記軸部の直径よりも大きな直径を有する板状の蓋部と、
前記軸部の外周面のうち先端側に位置しており前記先端および前記後端を貫く前記軸部の中心軸に対して垂直な方向に延びている凸部と、
前記軸部の前記先端に位置している凹部と、
前記蓋部の表面から前記軸部の前記先端にわたって位置している切り欠き部と、を備え、
可撓性を有する、脳外科用バーホールキャップ。
【請求項２】
前記軸部は、略円柱状である、請求項１に記載の脳外科用バーホールキャップ。
【請求項３】
前記中心軸に垂直な方向から見たとき、前記凸部は、曲線状である、請求項１または２に記載の脳外科用バーホールキャップ。
【請求項４】
前記中心軸に垂直な方向から見たとき、前記凸部は、円弧状である、請求項１〜３のいずれかに記載の脳外科用バーホールキャップ。
【請求項５】
頭蓋骨に形成されているバーホールに取り付けたとき、前記凸部は、前記バーホールの内周面に接触する、請求項１〜４のいずれかに記載の脳外科用バーホールキャップ。
【請求項６】
前記軸部の前記外周面のうち前記凸部よりも前記後端側に位置しており前記中心軸に対して垂直な方向に延びている少なくとも１つの他の凸部をさらに備える、請求項１〜５のいずれかに記載の脳外科用バーホールキャップ。
【請求項７】
前記凹部の底部は、前記中心軸に平行な方向における前記軸部の中央部よりも前記後端側に位置している、請求項１〜６のいずれかに記載の脳外科用バーホールキャップ。
【請求項８】
前記切り欠き部を１つ備える、請求項１〜７のいずれかに記載の脳外科用バーホールキャップ。
【請求項９】
前記蓋部の表面視において、前記切り欠き部の先端部は、曲線状である、請求項１〜８のいずれかに記載の脳外科用バーホールキャップ。
【請求項１０】
前記蓋部の表面視において、前記切り欠き部の先端部は、前記中心軸よりも前記切り欠き部の開口側に位置している、請求項１〜９のいずれかに記載の脳外科用バーホールキャップ。
【請求項１１】
前記軸部、前記蓋部および前記凸部が一体に成形されている、請求項１〜１０のいずれかに記載の脳外科用バーホールキャップ。
【請求項１２】
超高分子量ポリエチレン樹脂、ポリメタクリル酸メチル樹脂、ポリエーテルエーテルケトン樹脂、純チタンおよびチタン合金から選ばれる１種からなる、請求項１〜１１のいずれかに記載の脳外科用バーホールキャップ。
【発明の詳細な説明】
【技術分野】
【０００１】
本発明は、脳外科用バーホールキャップに関する。
【背景技術】
【０００２】
開頭手術において頭蓋骨に開口部を形成するとき、または硬膜下出血などを治療するときには、ドリルを使用して頭蓋骨にバーホール（貫通孔）が形成される。バーホールは、手術後に脳外科用バーホールキャップによって塞がれる（例えば、特許文献１〜５参照）。脳外科用バーホールキャップとしては、バーホールに対する取り付け性、固定性および取り外し性に優れるものが望ましい。
【先行技術文献】
【特許文献】
【０００３】
【特許文献１】実開平５−２１９１４号公報
【特許文献２】実開平５−２１９５４号公報
【特許文献３】特表平１１−５１４５３９号公報
【特許文献４】特表２００９−５２３５３４号公報
【特許文献５】特開２０１２−１８３３１８号公報
【発明の概要】
【発明が解決しようとする課題】
【０００４】
本発明の課題は、バーホールに対する取り付け性、固定性および取り外し性に優れる脳外科用バーホールキャップを提供することである。
【課題を解決するための手段】
【０００５】
本発明者らは、上記課題を解決すべく鋭意研究を重ねた結果、以下の構成からなる解決手段を見出し、本発明を完成するに至った。
（１）柱状の軸部と、前記軸部の後端に接続しており前記軸部の直径よりも大きな直径を有する板状の蓋部と、前記軸部の外周面のうち先端側に位置しており前記先端および前記後端を貫く前記軸部の中心軸に対して垂直な方向に延びている凸部と、前記軸部の前記先端に位置している凹部と、前記蓋部の表面から前記軸部の前記先端にわたって位置している切り欠き部と、を備え、可撓性を有する、脳外科用バーホールキャップ。
（２）前記軸部は、略円柱状である、前記（１）に記載の脳外科用バーホールキャップ。
（３）前記中心軸に垂直な方向から見たとき、前記凸部は、曲線状である、前記（１）または（２）に記載の脳外科用バーホールキャップ。
（４）前記中心軸に垂直な方向から見たとき、前記凸部は、円弧状である、前記（１）〜（３）のいずれかに記載の脳外科用バーホールキャップ。
（５）頭蓋骨に形成されているバーホールに取り付けたとき、前記凸部は、前記バーホールの内周面に接触する、前記（１）〜（４）のいずれかに記載の脳外科用バーホールキャップ。
（６）前記軸部の前記外周面のうち前記凸部よりも前記後端側に位置しており前記中心軸に対して垂直な方向に延びている少なくとも１つの他の凸部をさらに備える、前記（１）〜（５）のいずれかに記載の脳外科用バーホールキャップ。
（７）前記凹部の底部は、前記中心軸に平行な方向における前記軸部の中央部よりも前記後端側に位置している、前記（１）〜（６）のいずれかに記載の脳外科用バーホールキャップ。
（８）前記切り欠き部を１つ備える、前記（１）〜（７）のいずれかに記載の脳外科用バーホールキャップ。
（９）前記蓋部の表面視において、前記切り欠き部の先端部は、曲線状である、前記（１）〜（８）のいずれかに記載の脳外科用バーホールキャップ。
（１０）前記蓋部の表面視において、前記切り欠き部の先端部は、前記中心軸よりも前記切り欠き部の開口側に位置している、前記（１）〜（９）のいずれかに記載の脳外科用バーホールキャップ。
（１１）前記軸部、前記蓋部および前記凸部が一体に成形されている、前記（１）〜（１０）のいずれかに記載の脳外科用バーホールキャップ。
（１２）超高分子量ポリエチレン樹脂、ポリメタクリル酸メチル樹脂、ポリエーテルエーテルケトン樹脂、純チタンおよびチタン合金から選ばれる１種からなる、前記（１）〜（１１）のいずれかに記載の脳外科用バーホールキャップ。
【発明の効果】
【０００６】
本発明によれば、バーホールに対する取り付け性、固定性および取り外し性に優れるという効果がある。
【図面の簡単な説明】
【０００７】
【図１】本発明の一実施形態に係る脳外科用バーホールキャップを示す斜視図である。
【図２】図１に示す脳外科用バーホールキャップを示す側面図である。
【図３】図１に示す脳外科用バーホールキャップを示す平面図である。
【図４】（ａ）および（ｂ）は、図１に示す脳外科用バーホールキャップを頭蓋骨に形成されているバーホールに取り付けるときの手順を示す概略説明図である。
【図５】本発明の他の実施形態に係る脳外科用バーホールキャップを示す側面図である。
【発明を実施するための形態】
【０００８】
以下、本発明の一実施形態に係る脳外科用バーホールキャップ（以下、「キャップ」と言うことがある。）について、図１〜図４を参照して詳細に説明する。
【０００９】
図１に示すように、本実施形態のキャップ１は、軸部２、蓋部３、凸部４、凹部５および切り欠き部６を備えており、可撓性を有している。このような構成によれば、図４に示すように、患者の頭蓋骨１００にドリルを使用して形成されているバーホール１０１に対し、優れた取り付け性、固定性および取り外し性を発揮することができる。以下、キャップ１の各構成部位について、具体的に説明する。
【００１０】
（軸部）
軸部２は、バーホール１０１内に挿入される柱状の部位である。軸部２は、略円柱状であるのがよい。このような構成によれば、バーホール１０１内に軸部２を挿入するときの挿入性を向上させることができる。略円柱状とは、円柱状のみならず、楕円柱状をも含む概念である。本実施形態の軸部２は、図２に示すように、円柱状である。なお、円柱状とは、厳密な意味での円柱に限定されるものではなく、若干の凹凸や湾曲をも含む概念である。本実施形態の軸部２は、その先端２ａ側および後端２ｂ側における外周面２１に凹曲面状の部位２２を含んでいる。
【００１１】
図４（ａ）に示すように、本実施形態の軸部２は、その中心軸Ｓに平行な方向における長さＬ２が、バーホール１０１の深さＬ１０１よりも若干短い。長さＬ２は、例えば、３〜１４ｍｍにすることができる。なお、長さＬ２は、例示した数値範囲に限定されるものではなく、深さＬ１０１などに応じて変更することができる。上述した軸部２の中心軸Ｓとは、軸部２の先端２ａおよび後端２ｂの間を貫通する軸であり、軸部２を回転させたときに回転軸となる軸を意味するものとする。
【００１２】
軸部２は、その直径Ｄ２がバーホール１０１の内径Ｄ１０１よりも若干小さい。直径Ｄ２は、例えば、８〜１４ｍｍにすることができる。なお、直径Ｄ２は、上述した長さＬ２と同様に、例示した数値範囲に限定されるものではなく、内径Ｄ１０１などに応じて変更することができる。また、本実施形態の軸部２は、上述のとおり、外周面２１に凹曲面状の部位２２を含んでいることから、直径Ｄ２が一定ではない。このような場合には、軸部２の直径のうち最小寸法を直径Ｄ２とすればよい。
【００１３】
（蓋部）
蓋部３は、バーホール１０１を覆う部位であり、軸部２の後端２ｂに接続している板状の部位である。本実施形態の蓋部３は、図２に示すように、中心軸Ｓに垂直な方向から見たとき、凸曲線状である。また、本実施形態の蓋部３は、図３に示すように、表面視において略円形状である。表面視とは、蓋部３の表面３１側から蓋部３を見た状態を意味するものとする。
【００１４】
図４（ａ）に示すように、蓋部３は、軸部２の直径Ｄ２よりも大きな直径Ｄ３を有している。直径Ｄ３は、例えば、１２〜２１ｍｍにすることができるが、これに限定されるものではない。
【００１５】
蓋部３の直径Ｄ３は、バーホール１０１の内径Ｄ１０１よりも大きい。図２に示すように、蓋部３の裏面３２のうち軸部２よりも外方に位置している部位３２ａは、キャップ１をバーホール１０１内に押し込むときにストッパーとして機能する。すなわち、図４（ｂ）に示すように、キャップ１をバーホール１０１内に押し込むと、部位３２ａが頭蓋骨１００の表面１０２に当接することから、キャップ１が必要以上にバーホール１０１内に押し込まれることを部位３２ａによって抑制することができる。
【００１６】
（凸部）
凸部４は、バーホール１００に対するキャップ１の固定性を向上させる部位である。凸部４は、図２に示すように、軸部２の外周面２１のうち先端２ａ側に位置しており、中心軸Ｓに対して垂直な方向に延びている。中心軸Ｓに対して垂直とは、中心軸Ｓに対して実質的に垂直であればよく、中心軸Ｓに対して若干傾斜していてもよいことを意味するものとする。
【００１７】
中心軸Ｓに垂直な方向から見たとき、凸部４は、曲線状であるのがよい。このような構成によれば、バーホール１０１内に軸部２を挿入するときの挿入性を向上させることができる。曲線状としては、例えば、放物線状、楕円弧状、円弧状などが挙げられる。本実施形態では、中心軸Ｓに垂直な方向から見たとき、凸部４が円弧状である。このような構成によれば、バーホール１０１に対する軸部２の挿入性の向上に加えて、バーホール１０１から軸部２を抜き出すときの抜き出し性を向上させることもできる。
【００１８】
図４（ａ）に示すように、中心軸Ｓに垂直な方向から見たとき、互いに離れて位置している凸部４、４の頂部４１、４１の間の寸法Ｄ４は、バーホール１０１の内径Ｄ１０１よりも若干大きい。寸法Ｄ４は、例えば、１０．１〜１６．５ｍｍにすることができる。なお、寸法Ｄ４は、例示した数値範囲に限定されるものではなく、内径Ｄ１０１などに応じて変更することができる。
【００１９】
（凹部）
凹部５は、キャップ１に可撓性を付与する部位であり、軸部２の先端２ａに位置している。
【００２０】
図２に示すように、凹部５の底部５１は、中心軸Ｓに平行な方向における軸部２の中央部２ｃよりも後端２ｂ側に位置している。このような構成によれば、凹部５によって軸部２が十分に減肉されることから、キャップ１に可撓性を付与することができる。
【００２１】
（切り欠き部）
切り欠き部６は、凹部５と同様に、キャップ１に可撓性を付与する部位であり、蓋部３の表面３１から軸部２の先端２ａにわたって位置している。また、切り欠き部６は、医療用チューブの挿通孔としても機能する。すなわち、図４（ｂ）に示すように、バーホール１０１にキャップ１を取り付けたとき、切り欠き部６は、蓋部３の表面３１と軸部２の先端２ａとの間を貫通し、頭蓋骨１００の内部１０３と連通する孔になる。それゆえ、切り欠き部６を介して医療用チューブを内部１０３に挿通させることができる。このとき、上述した凹部５も医療用チューブの挿通性を向上させる部位として機能する。
【００２２】
本実施形態のキャップ１は、切り欠き部６を１つ備えている。このような構成によれば、キャップ１の剛性を維持しつつ、切り欠き部６によってキャップ１に可撓性を付与することができる。
【００２３】
図３に示すように、蓋部３の表面視において、切り欠き部６の先端部６１は、曲線状であるのがよい。このような構成によれば、切り欠き部６の幅Ｗが小さくなる矢印Ａ方向に外力が加わったとき、先端部６１に加わる応力を分散させることができ、先端部６１に亀裂が発生するのを抑制することができる。曲線状としては、上述した凸部４で例示したのと同じ形状が挙げられる。本実施形態では、蓋部３の表面視において、切り欠き部６の先端部６１が、円弧状である。このような構成によれば、先端部６１が曲線状であることによる上述した効果が得られやすくなる。
【００２４】
蓋部３の表面視において、切り欠き部６の先端部６１は、中心軸Ｓよりも切り欠き部６の開口６２側に位置している。このような構成によれば、キャップ１の剛性を維持しつつ、切り欠き部６によってキャップ１に可撓性を付与することができる。
【００２５】
上述した切り欠き部６の幅Ｗは、中心軸Ｓに垂直な方向における切り欠き部６の寸法である。切り欠き部６の幅Ｗは、例えば、５〜８ｍｍにすることができるが、これに限定されるものではない。
【００２６】
キャップ１は、上述した軸部２、蓋部３および凸部４が一体に成形されている。このような構成によれば、軸部２、蓋部３および凸部４のそれぞれの接続強度を向上させることができる。一体に成形されているとは、部品毎に加工した後に接着、溶接などの接合手段を使用して一体化されているのではなく、接合手段を使用することなく同一材料から成形体全体が一体的に作製されていることを意味するものとする。一体に成形する方法としては、例えば、切削加工などが挙げられるが、これに限定されるものではない。なお、軸部２、蓋部３および凸部４は、必要に応じて別部材で構成することもできる。
【００２７】
キャップ１は、超高分子量ポリエチレン樹脂、ポリメタクリル酸メチル樹脂、ポリエーテルエーテルケトン樹脂、純チタンおよびチタン合金から選ばれる１種からなるのがよい。このような構成によれば、キャップ１に可撓性を付与することができる。なお、超高分子量ポリエチレン樹脂は、重量平均分子量が１００万以上のポリエチレン樹脂である。超高分子量ポリエチレン樹脂は、例えば、低圧の懸濁重合法によってエチレンモノマーを反応させつつ、反応時間を長くすることによって製造することができる。超高分子量ポリエチレン樹脂の重量平均分子量としては、通常、１００万〜７００万程度である。
【００２８】
キャップ１は、次のような手順でバーホール１０１に取り付けることができる。図４（ａ）に示すように、まず、バーホール１０１の上方にキャップ１を位置させる。このとき、軸部２の先端２ａをバーホール１０１に対向させる。
【００２９】
次に、切り欠き部６の幅Ｗが小さくなるようにキャップ１に対して矢印Ａ方向に外力を加え、キャップ１を変形させる。このとき、キャップ１は可撓性を有していることから、比較的小さな力でキャップ１を変形させることができる。そして、この状態でキャップ１を矢印Ｂ方向に動かし、キャップ１をバーホール１０１内に押し込むと、軸部２をスムーズにバーホール１０１内に挿入することができる。その結果、図４（ｂ）に示すように、バーホール１０１にキャップ１を取り付けることができる。
【００３０】
バーホール１０１にキャップ１を取り付けたとき、凸部４は、バーホール１０１の内周面１０１ａに接触する。それゆえ、キャップ１は、バーホール１０１に対して優れた固定性を発揮することができる。また、本実施形態の凸部４は、上述のとおり、中心軸Ｓに垂直な方向から見たときに円弧状である。このような構成によれば、凸部４とバーホール１０１の内周面１０１ａとの間に反発力が発生しにくく、高い固定力を得ることができる。
【００３１】
バーホール１０１からキャップ１を取り外すときには、バーホール１０１から外れる方向に比較的小さい力をキャップ１に加えればよい。これにより、バーホール１０１からキャップ１を簡単に取り外すことができる。
【００３２】
次に、本発明の他の実施形態に係るキャップについて、図５を参照して詳細に説明する。なお、図５においては、上述した図１〜図４と同一の構成部分には同一の符号を付して説明は省略する場合がある。
【００３３】
図５に示す本実施形態のキャップ１’は、他の凸部７をさらに備えている点で、上述した実施形態に係るキャップ１と構成が異なっている。具体的に説明すると、キャップ１’は、軸部２の外周面２１のうち凸部４よりも後端２ｂ側に位置しており、中心軸Ｓに対して垂直な方向に延びている他の凸部７をさらに備えている。このような構成によれば、バーホール１００に対するキャップ１’の固定性を向上させることができる。
【００３４】
他の凸部７は、少なくとも１つであればよい。すなわち、他の凸部７は、１つ以上であればよい。本実施形態のキャップ１’は、他の凸部７を１つ備えている。
その他の構成は、上述した一実施形態に係るキャップ１と同様であるので、説明を省略する。
【００３５】
以上、本発明に係る好ましい実施形態について例示したが、本発明は上述した実施形態に限定されるものではなく、本発明の要旨を逸脱しない限り任意のものとすることができることは言うまでもない。
【００３６】
例えば、上述の実施形態では、軸部２が円柱状である場合を例に挙げて説明したが、軸部２の形状は、柱状である限り、他の形状にしてもよい。他の形状としては、例えば、四角柱状、六角柱状などの多角柱状が挙げられる。
【符号の説明】
【００３７】
１  脳外科用バーホールキャップ
１’  脳外科用バーホールキャップ
２  軸部
２ａ  先端
２ｂ  後端
２ｃ  中央部
２１  外周面
２２  部位
３  蓋部
３１  表面
３２  裏面
３２ａ  部位
４  凸部
４１  頂部
５  凹部
５１  底部
６  切り欠き部
６１  先端部
６２  開口
７  他の凸部
１００  頭蓋骨
１０１  バーホール
１０２  表面
１０３  内部
【図１】
2017153847.tif 000003
【図２】
2017153847.tif 000004
【図３】
2017153847.tif 000005
【図４】
2017153847.tif 000006
【図５】
2017153847.tif 000007